(57)【特許請求の範囲】
【請求項１】
取付け部材に形成した穴内に玉鎖の先端部を入れた後、
前記取付け部材に形成されているスリット溝に抜け止め部材を差し込み、前記スリット溝に対して垂直に形成された工具用の溝に一部が露出した該抜け止め部材で前記玉鎖を前記取付け部材に固定する
ことを特徴とする排水栓用玉鎖の固定方法。
【請求項２】
前記穴の奥側端面に前記玉鎖の先端部が当接するまで入れた後、
前記穴の側面の一部に開口した前記スリット溝を介して前記穴に差し込まれた前記抜け止め部材で前記玉鎖を前記取付け部材に固定する
ことを特徴とする請求項１記載の排水栓用玉鎖の固定方法。
【発明の詳細な説明】
【技術分野】
【０００１】
本発明は、排水栓用の玉鎖の固定方法に関するものである。
【背景技術】
【０００２】
従来、特許文献１に開示されているように、排水栓に厚み方向に設けられた貫通孔に玉鎖を挿通し、玉鎖先端部の玉部と玉部との間にスリット付き板材を係合させて、玉鎖の抜け止めを行った排水栓と玉鎖の連結構造が存在する。
【先行技術文献】
【特許文献】
【０００３】
【特許文献１】実開昭６３−５９５９０号公報
【発明の概要】
【発明が解決しようとする課題】
【０００４】
上記特許文献１に開示されているような排水栓と玉鎖の連結構造では、排水栓の貫通孔に玉鎖を通し、玉鎖の先端にスリット付き板材を係合させ、その状態で玉鎖を引き上げて排水栓内にスリット付き板材を嵌め込む構造であり、玉鎖を固定するために作業工程が多くなり、また、使用中等において、排水栓からスリット付き板材が下方側にズルズルと抜脱してしまい、玉鎖の先端を良好に排水栓に固定できないという問題点があった。
【課題を解決するための手段】
【０００５】
本発明は、作業工程を少なくして確実に玉鎖の先端を固定できる排水栓用玉鎖の固定方法の提供を目的とし、この目的の少なくとも一部を達成するために以下の手段を採った。
本発明の排水栓用玉鎖の固定方法は、取付け部材に形成した穴内に玉鎖の先端部を入れた後、前記取付け部材に形成されているスリット溝に抜け止め部材を差し込み、前記スリット溝に対して垂直に形成された工具用の溝に一部が露出した該抜け止め部材で前記玉鎖を前記取付け部材に固定することを要旨とする。
【発明の効果】
【０００６】
本発明の排水栓用玉鎖の固定方法では、取付け部材の穴内に玉鎖の先端部を入れる工程と、取付け部材のスリット溝内に抜け止め部材を差し込む工程の２工程で、確実に取付け部材に玉鎖の先端部を固定することができ、固定のための作業工程が少なく、しかも玉鎖を確実に固定することができるものとなる。
【０００７】
また、本発明の排水栓用玉鎖の固定方法において、前記取付け部材には、前記スリット溝に対して垂直に工具用の溝が形成されている。
こうすれば、玉鎖の固定を解除するような場合に、取付け部材に形成されている工具用の溝内に工具を差し込んで、工具を介し、スリット溝内に挿着されている抜け止め部材を良好に抜き取ることができ、作業を容易に行うことができるものとなる。
【図面の簡単な説明】
【０００８】
【図１】排水栓の分解斜視構成図である。
【図２】取付け部材の拡大斜視構成図である。
【図３】取付け部材をゴム栓に挿着した状態の斜視構成図である。
【図４】ゴム栓に取付け部材を挿着した状態の縦断面構成図である。
【図５】図４の状態から、取付け部材に抜け止め部材を差し込み、抜け止め部材を介して玉鎖の先端を固定した状態の縦断面構成図である。
【図６】ギボシの斜視構成図である。
【図７】ギボシに抜け止め部材を介して玉鎖の先端を固定した状態の要部拡大断面構成図である。
【発明を実施するための形態】
【０００９】
次に、本発明を実施するための形態を実施例を用いて説明する。
図１は、排水栓の分解斜視図であり、排水栓１は、ゴム栓２と、ゴム栓２内に挿通される取付け部材３と、この取付け部材３と洗面器側に取り付けられるギボシ５とを連結する玉鎖４で構成されている。
【００１０】
取付け部材３は、図２に拡大斜視図で示すような構造となっており、大径の円台部３ａの中央部に一体状に立ち上げて円柱部３ｂが形成され、円柱部３ｂの外周には、リング状に突起部３ｃが一体形成されたものとなっている。
また、この取付け部材３の円柱部３ｂの上端には、縦方向に下方側へ向かって円形の挿入穴３１が形成されており、円柱部３ｂの上端側側面には、挿入穴３１内へ向かって横方向に延びるスリット溝３２が一端側を開口させて形成されており、このスリット溝３２に対して直角に交わる垂直な工具溝３３が、円柱部３ｂの上端からスリット溝３２の開口側へ向かって凹み状に形成されている。
この取付け部材３の円柱部３ｂは、ゴム栓２の中央部に上下方向に貫通状に形成されている通し孔２ａ内に下方側から差し込んで、図３のようにゴム栓２に取付け部材３を取り付けることができるものである。
【００１１】
即ち、図４の縦断面図で示すように、ゴム栓２の中央部には通し孔２ａが縦方向に形成されており、通し孔２ａの下端側、即ちゴム栓２の裏面側には、円錐台形状に凹ませた台形凹部２ｂが形成されており、この台形凹部２ｂ内に取付け部材３の円台部３ａを嵌め込んで、円柱部３ｂを通し孔２ａ内に通し、ゴム栓２の上面に突起部３ｃを係合させて、円柱部３ｂをゴム栓２から上方へ突出させて取り付けることができ、この図４のように、ゴム栓２に取付け部材３を取り付けた状態で、取付け部材３の挿入穴３１内に上方から玉鎖４の先端部を入れ、その状態で、Ｕ字状に形成された板材である抜け止め部材６を横方向からスリット溝３２内に差し込み、抜け止め部材６により玉鎖４を挿入穴３１内に固定できるものである。
【００１２】
即ち、スリット溝３２内にＵ字状の抜け止め部材６を差し込むと、図５に示すように、挿入穴３１内に既に挿入されている玉鎖４の玉部４ａと玉部４ａ間の連結部４ｂを挟み込むようにＵ字状の抜け止め部材６が配置され、この抜け止め部材６がスリット溝３２内に固定されることで、下端側の玉鎖の玉部４ａは、抜け止め部材６に阻止されて上方へ引き抜くことはできないものとなり、抜け止め部材６を介し良好に挿入穴３１内に玉鎖４の先端部が固定される。
【００１３】
従って、ゴム栓２に取付け部材３を取り付け、その状態で、取付け部材３の挿入穴３１内に玉鎖４の先端部を入れ、横方向からスリット溝３２内に抜け止め部材６を差し込むことで、確実に玉鎖４の先端を取付け部材３に固定することができ、玉鎖４の固定作業は極めて容易に行うことができ、しかも従来のようなオーリングなどを使用することなく、玉鎖４の先端が直接取付け部材３に固定されるために、見た目がすっきりとした状態で玉鎖４が固定されるものである。
【００１４】
また、洗面器側に取り付けられるギボシ５は、図６の斜視図で示すような構造となっており、このギボシ５は、洗面器の上面に当接するフランジ部５ａから垂下状にネジ部５ｂが形成されており、ネジ部５ｂと同軸状にフランジ部５ａから上方へ突出して円柱状の凸部５ｃが一体形成されており、この凸部５ｃには、横方向から横穴状に挿入穴５１が形成されており、凸部５ｃの上面には、挿入穴５１内に至るスリット溝５２が上下方向に形成されており、このスリット溝５２と直交状に、縦方向の工具溝５３が凸部５ｃに形成されている。
【００１５】
従って、玉鎖４の他端側の先端部を挿入穴５１内に横方向から通し、この状態で、凸部５ｃの上面側からスリット溝５２内にＵ字状の抜け止め部材６を差し込むことで、抜け止め部材６により玉鎖４が挿入穴５１内に固定されることとなり、挿入穴５１内に玉鎖４の先端部を入れる作業工程と、スリット溝５２内に抜け止め部材６を差し込む作業工程の、２工程の作業で容易に玉鎖４を固定することができるものとなる。
【００１６】
なお、玉鎖４を取り外す際には、取付け部材３側においては工具溝３３内に、例えばドライバー等を差し込んで、ドライバー等をスリット溝３２内に差し込まれている抜け止め部材６に当て、ドライバー等を介し容易に抜け止め部材６をスリット溝３２から抜いて取り外すことができるものとなる。また、ギボシ５側においても、同様に工具溝５３内にドライバー等を入れて、抜け止め部材６を容易にスリット溝５２から外すことができるものである。
【符号の説明】
【００１７】
１  排水栓
２  ゴム栓
２ａ  通し孔
２ｂ  台形凹部
３  取付け部材
３ａ  円台部
３ｂ  円柱部
３ｃ  突起部
４  玉鎖
４ａ  玉部
４ｂ  連結部
５  ギボシ
５ｃ  凸部
６  抜け止め部材
３１  挿入穴
３２  スリット溝
３３  工具溝
５１  挿入穴
５２  スリット溝
５３  工具溝
【図１】
0006027313.tif 000002
【図２】
0006027313.tif 000003
【図３】
0006027313.tif 000004
【図４】
0006027313.tif 000005
【図５】
0006027313.tif 000006
【図６】
0006027313.tif 000007
【図７】
0006027313.tif 000008